(57)【要約】【課題】  組み立て作業及び交換作業を迅速に行うことができる道路用標示体を提供する。【解決手段】  ポール１と、ポール１が上方から装着されてポール１を立設支持するために路面に設置されるベース２とを備え、ポール１の下部に径方向外方へ突出する突部５Ａを備えるとともに、ポール１をベース２へ挿入した状態から周方向へ所定角度回転操作した位置においてポール１の突部５Ａが接当して上方への移動を阻止するための接当部７をベース２に備え、ポール１をベース２に挿入した状態においてポール１を上方へ移動付勢するための付勢手段６をベース２に備え、接当部７が、付勢手段６による付勢力に抗してポール１を下方へ移動させた状態で周方向へ所定角度回転操作した位置において付勢手段６による付勢力でポール１の突部５Ａが下方から入り込んで係止するべく、ベース２に備えた被係止部から構成されている。【選択図】図５
2010185177.tif 000002
【特許請求の範囲】
【請求項１】
ポールと、該ポールが上方から装着されて該ポールを立設支持するために路面に設置されるベースとを備え、前記ポールの下部に径方向外方へ突出する突部を備えるとともに、該ポールを前記ベースへ挿入した状態から周方向へ所定角度回転操作した位置において該ポールの突部が接当して上方への移動を阻止するための接当部を前記ベースに備えた道路用標示体であって、
前記ポールを前記ベースに挿入した状態において該ポールを上方へ移動付勢するための付勢手段を該ベースに備え、前記接当部が、該付勢手段による付勢力に抗して前記ポールを下方へ移動させた状態で周方向へ所定角度回転操作した位置において該付勢手段による付勢力で該ポールの突部が下方から入り込んで係止するべく、前記ベースに備えた被係止部から構成されていることを特徴とする道路用標示体。
【請求項２】
前記ポールが車両の衝突時に曲がり変形する円筒状部材からなり、前記ベースに、該ポールの下部を挿入可能な環状の溝と、該溝に該ポールを挿入した状態で該ポールの下部の外周面を支持する支持面とを備え、該支持面に、該ベースへの該ポールの挿入時に該ポールの突部の移動を許容するための縦向きの凹部と、該凹部から周方向に延びて前記回転操作されるポールの突部を移動案内するための案内用凹部とを備え、該案内用凹部の案内方向終端に該案内用凹部の上端よりも上方に位置するべく形成された係止用凹部から前記被係止部を構成したことを特徴とする請求項１に記載の道路用標示体。
【請求項３】
前記案内用凹部を構成する上側の案内端面が、前記縦向きの凹部から水平方向に延びる水平案内面と該水平案内面の案内終端から案内方向終端側ほど下方に位置する傾斜案内面とを備え、その傾斜案内面の案内終端に前記係止用凹部を備えたことを特徴とする請求項２に記載の道路用標示体。
【請求項４】
前記付勢手段が、前記溝内に配置されたＯリングからなる請求項２又は３に記載の道路用標示体。
【発明の詳細な説明】
【技術分野】
【０００１】
本発明は、例えば、車線のセンターライン標示や、車線誘導標示、交通規制誘導標示、あるいは、駐車場における車両停止位置標示等を目的として、道路や駐車場等の路面に設置される道路用標示体に関する。
【背景技術】
【０００２】
センターライン等に設置されるこの種の道路用標示体は、車両が衝突することによって、破損や損傷することがある。このため、ポールとベースとをそれぞれ別体にて形成し、それらを分解可能に組み立てることによって、車両との衝突により破損したポールや経年劣化したポールを取り替えることができるようにしている。
【０００３】
因みに、ポールを柔軟な材質のものから構成したものが提案されている。このように構成されたポールに車両が衝突した際に、ポール部が弾性変形して傾倒し、その後復元することによって、ポールが破損し難いように構成されたものであるが、衝突した時の衝撃力の大きさによってはポールがやはり破損してしまうことがあり、前記のように破損したポールを取り替える必要性が発生することになる。
【０００４】
そして、前記別々に形成されたポールの下部に径方向外方へ突出する突部を備えるとともに、ポールをベースへ挿入した状態から周方向へ所定角度回転操作した位置において該ポールの突部が接当して上方への移動を阻止するための接当部を前記ベースに備えたものが提案されている。そして、前記のように、ポールをベースへ挿入した状態から周方向へ所定角度回転操作してポールがベースから抜けてしまうことがないようにした後、ベースに対してポールが不測に回転することがないように複数のネジを用いて両者を連結している（例えば、特許文献１参照）。
【先行技術文献】
【特許文献】
【０００５】
【特許文献１】特開２００７−１７７６０７号公報（図１〜図３参照）
【発明の概要】
【発明が解決しようとする課題】
【０００６】
上記特許文献１の標示体を組み立てる場合には、ポールをベースへ挿入した状態から周方向へ所定角度回転操作した後、ベースとポールとを貫通するように複数のネジをそれぞれ、両者間に渡るようにねじ込まなければならず、そのねじ込む作業が手間のかかる煩わしいものであった。
また、破損したポールを新たなポールに取り替える場合には、ベースとポールとを貫通している複数のネジの全てを緩めてベースからポールを取り外してから、新たなポールをベースに挿入して複数のネジを再度ねじ込まなければならないことから、ポールの交換作業も手間がかかるものであった。
【０００７】
本発明が前述の状況に鑑み、解決しようとするところは、組み立て作業及び交換作業を迅速に行うことができる道路用標示体を提供することを課題とする。
【課題を解決するための手段】
【０００８】
本発明の道路用標示体は、前述の課題解決のために、ポールと、該ポールが上方から装着されて該ポールを立設支持するために路面に設置されるベースとを備え、前記ポールの下部に径方向外方へ突出する突部を備えるとともに、該ポールを前記ベースへ挿入した状態から周方向へ所定角度回転操作した位置において該ポールの突部が接当して上方への移動を阻止するための接当部を前記ベースに備えた道路用標示体であって、前記ポールを前記ベースに挿入した状態において該ポールを上方へ移動付勢するための付勢手段を該ベースに備え、前記接当部が、該付勢手段による付勢力に抗して前記ポールを下方へ移動させた状態で周方向へ所定角度回転操作した位置において該付勢手段による付勢力で該ポールの突部が下方から入り込んで係止するべく、前記ベースに備えた被係止部から構成されていることを特徴としている。
【０００９】
道路用標示体を組み立てる場合には、付勢手段による付勢力に抗してポールを下方へ移動させた状態で周方向へ所定角度回転操作するだけで、ベースに備えた被係止部にポールの突部が下方から入り込んで係止し、ベースに対してポールを回転不能に固定することができる。尚、前記係止が解除されない限り、ベースに対してポールが不測に回転することはない。そして、ポールを交換する場合には、付勢手段による付勢力に抗してポールを下方へ移動させることにより、前記係止を解除することができ、この解除状態で前記組立時の回転方向とは反対方向へ所定角度回転操作することによって、ポールをベースに対して取り外すことができる。
【００１０】
また、本発明は、前記ポールが車両の衝突時に曲がり変形する円筒状部材からなり、前記ベースに、該ポールの下部を挿入可能な環状の溝と、該溝に該ポールを挿入した状態で該ポールの下部の外周面を支持する支持面とを備え、該支持面に、該ベースへの該ポールの挿入時に該ポールの突部の移動を許容するための縦向きの凹部と、該凹部から周方向に延びて前記回転操作されるポールの突部を移動案内するための案内用凹部とを備え、該案内用凹部の案内方向終端に該案内用凹部の上端よりも上方に位置するべく形成された係止用凹部から前記被係止部を構成してもよい。
【００１１】
前記案内用凹部を構成する上側の案内端面が、前記縦向きの凹部から水平方向に延びる水平案内面と該水平案内面の案内終端から案内方向終端側ほど下方に位置する傾斜案内面とを備え、その傾斜案内面の案内終端に前記係止用凹部を備えてもよい。
【００１２】
前記付勢手段が、前記溝内に配置されたＯリングからなっていてもよい。
【発明の効果】
【００１３】
道路用標示体を組み立てる場合には、付勢手段による付勢力に抗してポールを下方へ移動させた状態で周方向へ所定角度回転操作するだけで済み、また、ポールを交換する場合には、付勢手段による付勢力に抗してポールを下方へ移動させてから、前記組立時の回転方向とは反対方向へ所定角度回転操作するだけで、ポールをベースに対して取り外せる状態にすることができるから、複数のネジをねじ込んでポールをベースに固定する構成に比べて、組み立て作業及び交換作業を迅速に行うことができる道路用標示体を提供することができる。
【００１４】
ポールを車両の衝突時に曲がり変形する円筒状部材から構成することによって、道路用標示体の軽量化を図ることができながらも、ポールに車両が衝突した際に、ポール部が弾性変形して傾倒し、その後復元しやすい構成であり、ポールが破損し難くできる利点がある。
【００１５】
付勢手段が、溝内に配置されたＯリングからなっている場合には、複数のコイルスプリングを配置して構成する場合に比べて、付勢手段の配置作業を容易に行うことができる利点がある。
【図面の簡単な説明】
【００１６】
【図１】Ｏリングを省略したベースを示し、（ａ）はそれの平面図、（ｂ）はそれの正面図、（ｃ）はそれの底面図である。
【図２】（ａ）は図１（ａ）におけるＣ−Ｃ線断面図、（ｂ）は図１（ａ）におけるＥ−Ｅ線断面図である。
【図３】図１（ａ）におけるＤ−Ｄ線断面図のベースにＯリングとポールを挿入する直前の状態を示す図である。
【図４】（ａ）はベースの平面図、（ｂ）は突部と凹部との関係を示す要部の拡大図である。
【図５】ベースにポールを差し込んで回転不能に突部が被係止部に係止された状態を示す縦断面図である。
【図６】ベースにポールを差し込んで回転不能に突部が被係止部に係止された状態を示す別の形態の縦断面図である。
【発明を実施するための形態】
【００１７】
図３及び図５に、本発明の道路用標示体である可倒式標示柱の一部省略したものを示している。これは、車両の衝突時に曲がり変形するポール１と、ポール１を上方から装着して立設支持するために路面に設置されるベース２とを備えている。図に示す３は、ベース２の下端に下方に突出して備えられたアンカーボルトであり、アンカーボルト３を道路の中に埋設した固定用のアンカーナット（図示せず）にねじ込むことによりベース２を固定することができるようになっているが、他の固定手段であってもよい。
【００１８】
前記ポール１は、円筒状部材からなり、車両衝突時に曲がり変形してその衝撃を吸収することができるだけでなく、衝突後に元の起立状態に弾性復元することができるように、柔軟な材質のものから構成することが好ましい。例えば、熱可塑性ポリウレタン等の柔軟な合成樹脂から中空押し出し成形や射出成形により形成されるが、合成ゴムやその他の材料であってもよい。また、場合によっては、硬質な材質のものから構成することもできる。
【００１９】
前記ポール１の下端部の内側には、図３に示すように、ポール１よりも硬い材質（例えば硬質の合成樹脂、例えばアクリロニトリルスチレン共重合体（ＡＳ樹脂）や金属等）からなり、ポール１の内周面に接触する外面を有する円筒状の補強用部材４を配置し、４個のネジ５をそれぞれ周方向に９０度ずつ角度を置いてポール１に貫通させてから補強用部材４にねじ込むことによって、補強用部材４とポール１とを一体化している。補強用部材４を円筒状とすることによって、円周方向のどの部分においても同一の強度アップを図ることができる利点があるが、円弧状の補強用部材４であってもよいし、ポール１の下端部を他の部分よりも厚肉に成型するなどの対策を行うことによって、補強用部材４を省略してもよい。ネジ５としては、タッピングネジ（タッピングビスともいう）を用いることによって、ポール１及び補強用部材４にネジ孔を形成することが不要であるだけでなく、どの位置においても、ポール１及び補強用部材４にネジ５のネジ部を無理やりねじ込むことができる利点がある。前記ポール１及び補強用部材４に予めネジ孔を形成して実施する場合には、ネジとこのネジの先端に螺合するナットとを用いて補強用部材４とポール１とを一体化することもできる。
【００２０】
前記ネジ５の頭部５Ａが、ポール１の下部に径方向外方へ突出する突部を構成している。そして、ポール1をベース２へ挿入した状態から周方向へ所定角度回転操作した位置においてポール１の突部５Ａが接当して上方への移動を阻止するための接当部７を前記ベース２に備えている。尚、前記のように補強用部材４を省略する場合には、突部をポール１に一体成型してもよい。
【００２１】
前記ベース２の形成に用いられる材料は、ポール１よりも硬い材質（例えば硬質の合成樹脂、例えばアクリロニトリルスチレン共重合体（ＡＳ樹脂）や金属等）からなっているが、軟質の合成樹脂等から構成してもよい。
【００２２】
また、前記ベース２は、図１（ａ），（ｂ），（ｃ）〜図３に示すように、中心部にポール１を挿入可能な円形の開口２Ｋを備えた平面視において円形で、かつ、側面視において台形状となる形状を有しており、路面上に接地する底部２Ａと、この底部２Ａの内周縁から上方に立ち上げられてポール１のフラットな外周面１Ａを受け止めて支持するための支持面である内周面２ｂを備えた円筒状の縦部２Ｂと、縦部２Ｂよりも内側に位置し、かつ、ポール１のフラットな内周面１Ｂを受け止めて支持するための支持面である外周面２ｃを有するとともに縦部２Ｂよりも背の低い内側壁部２Ｃとを備え、縦部２Ｂと内側壁部２Ｃとの間にポール１の下端が差し込まれてポール１を保持するための円形で環状の溝Ｍが形成されている。また、前記底部２Ａの道路設置面側には、放射方向に開口された開口２Ｄを周方向に沿って多数形成している。
【００２３】
前記溝Ｍは、ポール１から下方に突出した補強用部材４が入り込む内側溝部２Ｍと、この内側溝部２Ｍの外側に一段高くなり、ポール１の外周縁の底面を載置支持するための外側載置部２Ｎとを有する段付溝からなっているが、段の無い溝であってもよい。
【００２４】
前記ベース２の溝Ｍには、ポール１をベース２に挿入した状態においてポール１を上方へ移動付勢するための付勢手段であるＯリング６を備え、前記接当部７が、Ｏリング６による付勢力に抗してポール１を下方へ移動させた状態で周方向へ所定角度回転操作した位置においてＯリング６による付勢力でポール１の突部５Ａが下方から入り込んで係止するべく、ベース２に備えた被係止部から構成されている。
【００２５】
前記内周面２ｂには、ベース２へのポール１の挿入時にポール１の突部５Ａの移動を許容するための縦向きの凹部８と、凹部８から周方向に延びて前記回転操作されるポール１の突部５Ａを移動案内するための案内用凹部９とを備え、案内用凹部９の案内方向終端に該案内用凹部９の上端よりも上方に位置するべく形成された円弧状の係止用凹部から前記被係止部７を構成している。
【００２６】
図４（ａ），（ｂ）に示すように、前記案内用凹部９を構成する上側の案内端面が、縦向きの凹部８から水平方向に延びる水平案内面９Ａと水平案内面９Ａの案内終端から案内方向終端側ほど下方に位置する傾斜案内面９Ｂとを備え、その傾斜案内面９Ｂの案内終端に前記被係止部７を備えている。
【００２７】
従って、ポール１を持ってベース２に挿入することによって、４つの突部５Ａが４つの凹部８へそれぞれ入り込ませる。続いて、挿入したポール１をＯリング６による弾性力（付勢力）に抗して下方へ更に押し付けた状態で（図４（ｂ）の上方位置の突部５Ａから下方に移動させた突部５Ａの位置で）周方向へ所定角度回転操作した位置において手を離す。これに伴って、Ｏリング６の弾性復帰力（付勢力）でポール１の突部５Ａが被係止部７に下方から入り込んで係止し（図４（ｂ）に実線で示す突部５Ａ及び図５参照）、ポール１がベース２に対して不測に回転することがないようにポール１をベース２に固定できるようになっている。
【００２８】
前記実施形態では、案内用凹部９を構成する上側の案内端面が、水平案内面９Ａと傾斜案内面９Ｂとから構成したが、傾斜案内面のみで構成してもよいし、水平案内面のみで構成することもできる。また、傾斜案内面を直線状に構成してもよいし、曲線状に構成してもよい。また、図４（ｂ）では、上側の案内端面のみを備えさせることによって、突部５Ａの移動がスムーズに行われるようにしたが、上側の案内端面に対して下側案内端面を備えさせて突部５Ａが上下の案内端面にて形成される横溝を移動できるように構成してもよい。また、案内用凹部９を省略し、縦向きの凹部８とこの凹部に連なる被係止部７とを備えたものであってもよい。
【００２９】
また、前記実施形態では、突部５Ａを円形のものから構成したが、四角形又は三角形あるいは多角形などで構成してもよい。この場合、四角形の突部が隙間無く係止できるように円弧状の被係止部７を角型などのように、突部の形状に合わせて被係止部の形状を変更してもよい。
【００３０】
さらに、前記実施形態では、ポール１を上方へ移動付勢するための付勢手段としてＯリング６を用いたが、弾性パッキンであってもよい。尚、弾性パッキンもＯリング６のように全周に設けてもよいし、周方向複数箇所にのみ設けてもよい。
【００３１】
また、図６に示すように、圧縮されたコイルスプリング１０をベース２に配置してもよい。具体的には、前記コイルスプリング１０の下端が、ベース２の円柱状の内側壁部２Ｃの上面に形成された凹部１１に入り込んで支持され、コイルスプリング１０の上端がポール１の下端に内挿された円柱状部材１２の下端面に形成された凹部１３に入り込んで支持されている。従って、ベース２に挿入したポール１をコイルスプリング１０による弾性力（付勢力）に抗して下方へ更に押し付けた状態で周方向へ所定角度回転操作した位置において手を離す。これに伴って、コイルスプリング１０の弾性力（付勢力）でポール１が上昇し、ポール１の突部５Ａが被係止部７に下方から入り込んで係止して、ポール１がベース２に対して不測に回転することがないようにポール１をベース２に固定できるようになっている。図６では、内側壁部２Ｃの上面に形成された凹部１１と円柱状部材１２の下端面に形成された凹部１３とで形成される空間により、コイルスプリング１０を保持する構成としたが、コイルスプリング１０の上端及び下端をそれぞれ係止保持するための係止部をポール１及びベース２にそれぞれ備えさせて実施することもできる。また、コイルスプリング１０の上端及び下端のいずれか一方をそれに対応するポール１又はベース２に各種の方法により固定して実施することもできる。更に、コイルスプリング１０に代えて、板バネであってもよい。
【００３２】
また、前記実施形態では、４つの突部を備えさせたが、１つの突部を備えて実施することもできるが、複数の突部を備えさせて実施することが好ましい。
【符号の説明】
【００３３】
1…ポール、１Ａ…外周面、１Ｂ…内周面、２…ベース、２Ａ…底部、２Ｂ …縦部、２Ｃ…内側壁部、２Ｄ…開口、２Ｋ…開口、２Ｍ…内側溝部、２Ｎ…外側載置部、２ｂ…内周面、２ｃ…外周面、３…アンカーボルト、４…補強用部材、５…ネジ、５Ａ…頭部（突部）、６…Ｏリング（付勢手段）、７…接当部（被係止部）、８…凹部、９…案内用凹部、９Ａ…水平案内面、９Ｂ…傾斜案内面、Ｍ…溝
【図１】
2010185177.tif 000003
【図２】
2010185177.tif 000004
【図３】
2010185177.tif 000005
【図４】
2010185177.tif 000006
【図５】
2010185177.tif 000007
【図６】
2010185177.tif 000008